(57)【特許請求の範囲】
【請求項１】
コアネットワークと関連付けられたシステム情報を獲得するという、無線デバイスにおける使用のための方法であって、
ネットワークノードからシステム情報を受信すること（３１２）であって、前記ネットワークノードが、１つまたは複数のコアネットワークに接続され、前記システム情報が、前記１つまたは複数のコアネットワークの各コアネットワークに関するネットワークタイプについての指示を含み、前記ネットワークタイプが、拡張パケットシステム（ＥＰＳ）のコアネットワークタイプおよび第５世代システム（５ＧＳ）のコアネットワークタイプを含む複数のネットワークタイプのうちの特定のタイプを含む、システム情報を受信すること（３１２）と、
前記複数のネットワークタイプに接続するための前記無線デバイスの能力を決定すること（３１４）と、
前記コアネットワークの前記ネットワークタイプ、および前記複数のネットワークタイプに接続するための前記無線デバイスの前記能力に基づいて、前記１つまたは複数のコアネットワークのうちの１つのコアネットワークに接続するべきかどうかを決定すること（３１６）と
を含む、方法。
【請求項２】
前記１つまたは複数のコアネットワークの各コアネットワークに関する前記ネットワークタイプについての前記指示が、前記ネットワークノードに接続された１つまたは複数の地上波公共移動通信ネットワーク（ＰＬＭＮ）の識別子のリスト、および前記１つまたは複数のＰＬＭＮの各ＰＬＭＮによってサポートされる１つまたは複数のネットワークタイプについての指示を含む、請求項１に記載の方法。
【請求項３】
前記１つまたは複数のコアネットワークの各コアネットワークに関する前記ネットワークタイプについての前記指示が、システム情報ブロック１（ＳＩＢ１）またはシステム情報ブロック２（ＳＩＢ２）の中で受信される、請求項１または２に記載の方法。
【請求項４】
前記１つまたは複数のコアネットワークのうちの１つのコアネットワークに接続するべきかどうかを決定すること（３１６）が、前記１つまたは複数のコアネットワークのいずれにも接続しないことを決定することを含み、
異なるネットワークノードに接続することをさらに含む、
請求項１から３のいずれか一項に記載の方法。
【請求項５】
前記複数のネットワークタイプに接続するための前記無線デバイスの前記能力を決定すること（３１４）が、前記無線デバイスが５ＧＳのコアネットワークタイプに接続する能力があると決定することを含み、
５ＧＳに関して、ＥＰＳに関する解釈とは異なって、受信されたシステム情報の１つまたは複数のパラメータを解釈することをさらに含む、
請求項１から４のいずれか一項に記載の方法。
【請求項６】
５ＧＳに関して、ＥＰＳに関する解釈とは異なって、前記受信されたシステム情報の１つまたは複数のパラメータを解釈することが、ＥＰＳ禁止パラメータを無視することを含み、前記１つまたは複数のコアネットワークのうちの１つのコアネットワークに接続するべきかどうかを決定することが、５ＧＳ禁止パラメータを評価することを含む、請求項５に記載の方法。
【請求項７】
５ＧＳに関して、ＥＰＳに関する解釈とは異なって、前記受信されたシステム情報の１つまたは複数のパラメータを解釈することが、前記システム情報の１つまたは複数の情報要素が５ＧＳに従って解釈されることになるという指示を取得することを含む、請求項５に記載の方法。
【請求項８】
１つまたは複数の情報要素が５ＧＳに従って解釈されることになるという前記指示を取得することが、前記ネットワークノードから専用シグナリングまたはブロードキャストシグナリングを受信することのうちの少なくとも１つを含む、請求項７に記載の方法。
【請求項９】
１つまたは複数の情報要素が５ＧＳに従って解釈されることになるという前記指示を取得することが、５ＧＳのコアネットワークに前記無線デバイスが接続されることを決定することを含む、請求項７に記載の方法。
【請求項１０】
前記複数のネットワークタイプに接続するための前記無線デバイスの前記能力を決定すること（３１４）が、前記無線デバイスが５ＧＳのコアネットワークタイプに接続する能力があると決定することを含み、
５ＧＳ固有のシステム情報ブロックを獲得することをさらに含む、
請求項１から４のいずれか一項に記載の方法。
【請求項１１】
コアネットワークと関連付けられたシステム情報を獲得する能力がある無線デバイス（１１０）であって、
ネットワークノード（１２０）からシステム情報を受信することであって、前記ネットワークノードが、１つまたは複数のコアネットワーク（３２０）に接続され、前記システム情報が、前記１つまたは複数のコアネットワークの各コアネットワークに関するネットワークタイプについての指示を含み、前記ネットワークタイプが、拡張パケットシステム（ＥＰＳ）のコアネットワークタイプおよび第５世代システム（５ＧＳ）のコアネットワークタイプを含む複数のネットワークタイプのうちの特定のタイプを含む、システム情報を受信することと、
前記複数のネットワークタイプに接続するための前記無線デバイスの能力を決定することと、
前記コアネットワークの前記ネットワークタイプ、および前記複数のネットワークタイプに接続するための前記無線デバイスの前記能力に基づいて、前記１つまたは複数のコアネットワークのうちの１つのコアネットワークに接続するべきかどうかを決定することと
を行うように動作可能な処理回路機器（１１２０）を備える、無線デバイス（１１０）。
【請求項１２】
前記１つまたは複数のコアネットワークの各コアネットワークに関する前記ネットワークタイプについての前記指示が、前記ネットワークノードに接続された１つまたは複数の地上波公共移動通信ネットワーク（ＰＬＭＮ）の識別子のリスト、および前記１つまたは複数のＰＬＭＮの各ＰＬＭＮによってサポートされる１つまたは複数のネットワークタイプについての指示を含む、請求項１１に記載の無線デバイス。
【請求項１３】
前記処理回路機器が、システム情報ブロック１（ＳＩＢ１）またはシステム情報ブロック２（ＳＩＢ２）の中にある前記１つまたは複数のコアネットワークの各コアネットワークに関する前記ネットワークタイプについての前記指示を受信するように動作可能である、請求項１１または１２に記載の無線デバイス。
【請求項１４】
前記１つまたは複数のコアネットワークのいずれにも接続しないことを前記処理回路機器が決定するとき、前記処理回路機器が、異なるネットワークノードに接続するようにさらに動作可能である、請求項１１から１３のいずれか一項に記載の無線デバイス。
【請求項１５】
前記無線デバイスが５ＧＳのコアネットワークタイプに接続する能力があると前記処理回路機器が決定するとき、前記処理回路機器が、５ＧＳに関して、ＥＰＳに関する解釈とは異なって、受信されたシステム情報の１つまたは複数のパラメータを解釈するようにさらに動作可能である、請求項１１から１４のいずれか一項に記載の無線デバイス。
【請求項１６】
前記処理回路機器が、ＥＰＳ禁止パラメータを無視することによって、５ＧＳに関して、ＥＰＳに関する解釈とは異なって、前記受信されたシステム情報の１つまたは複数のパラメータを解釈するように動作可能であり、５ＧＳ禁止パラメータを評価することによって、前記１つまたは複数のコアネットワークのうちの１つのコアネットワークに接続するべきかどうかを決定するように動作可能である、請求項１５に記載の無線デバイス。
【請求項１７】
前記処理回路機器が、前記システム情報の１つまたは複数の情報要素が５ＧＳに従って解釈されることになるという指示を取得することによって、５ＧＳに関して、ＥＰＳに関する解釈とは異なって、前記受信されたシステム情報の１つまたは複数のパラメータを解釈するように動作可能である、請求項１５に記載の無線デバイス。
【請求項１８】
前記処理回路機器が、前記ネットワークノードから専用シグナリングまたはブロードキャストシグナリングを受信することのうちの少なくとも１つによって、１つまたは複数の情報要素が５ＧＳに従って解釈されることになるという前記指示を取得するように動作可能である、請求項１５に記載の無線デバイス。
【請求項１９】
前記処理回路機器が、５ＧＳのコアネットワークに前記無線デバイスが接続されることを決定することによって、１つまたは複数の情報要素が５ＧＳに従って解釈されることになるという前記指示を取得するように動作可能である、請求項１５に記載の無線デバイス。
【請求項２０】
前記無線デバイスが５ＧＳのコアネットワークタイプに接続する能力があると前記処理回路機器が決定するとき、前記処理回路機器が、５ＧＳ固有のシステム情報ブロックを獲得するようにさらに動作可能である、請求項１１から１４のいずれか一項に記載の無線デバイス。
【請求項２１】
コアネットワークと関連付けられたシステム情報を提供するという、ネットワークノードにおける使用のための方法であって、該方法は、
１つまたは複数のコアネットワークに前記ネットワークノードが接続されることを決定すること（４１２）と、
システム情報を送信すること（４１４）であって、前記システム情報が、前記１つまたは複数のコアネットワークの各コアネットワークに関するネットワークタイプについての指示を含み、前記ネットワークタイプが、拡張パケットシステム（ＥＰＳ）のコアネットワークタイプおよび第５世代システム（５ＧＳ）のコアネットワークタイプを含む複数のネットワークタイプのうちの特定のタイプを含む、システム情報を送信すること（４１４）と
を含み、
前記１つまたは複数のコアネットワークのうちの１つのコアネットワークが、５ＧＳのコアネットワークであり、
前記コアネットワークのための前記システム情報が、ＥＰＳに関する意図とは異なる５ＧＳに関する意図を有するパラメータを含むか、又は
前記コアネットワークのための前記システム情報が、５ＧＳ固有のシステム情報ブロックを含む、方法。
【請求項２２】
前記１つまたは複数のコアネットワークの各コアネットワークに関する前記ネットワークタイプについての前記指示が、前記ネットワークノードに接続された１つまたは複数の地上波公共移動通信ネットワーク（ＰＬＭＮ）の識別子のリスト、および前記１つまたは複数のＰＬＭＮの各ＰＬＭＮによってサポートされる１つまたは複数のネットワークタイプについての指示を含む、請求項２１に記載の方法。
【請求項２３】
前記１つまたは複数のコアネットワークの各コアネットワークに関する前記ネットワークタイプについての前記指示が、システム情報ブロック１（ＳＩＢ１）またはシステム情報ブロック２（ＳＩＢ２）の中にある、請求項２１または２２に記載の方法。
【請求項２４】
前記コアネットワークのための前記システム情報が、ＥＰＳに関する意図とは異なる５ＧＳに関する意図を有するパラメータを含む、請求項２１から２３のいずれか一項に記載の方法。
【請求項２５】
前記コアネットワークのための前記システム情報が、５ＧＳ固有のシステム情報ブロックを含む、請求項２１から２３のいずれか一項に記載の方法。
【請求項２６】
前記システム情報の１つまたは複数の情報要素が５ＧＳに従って解釈されることになるという指示を送信すること（４１６）をさらに含む、請求項２４または２５に記載の方法。
【請求項２７】
１つまたは複数の情報要素が５ＧＳに従って解釈されることになるという前記指示を送信すること（４１６）が、専用シグナリングを送信すること、またはブロードキャストシグナリングを送信することを含む、請求項２６に記載の方法。
【請求項２８】
コアネットワーク（３２０）と関連付けられたシステム情報を提供する能力があるネットワークノード（１２０）であって、当該ネットワークノード（１２０）は、
１つまたは複数のコアネットワークに前記ネットワークノードが接続されることを決定することと、
システム情報を送信することであって、前記システム情報が、前記１つまたは複数のコアネットワークの各コアネットワークに関するネットワークタイプについての指示を含み、前記ネットワークタイプが、拡張パケットシステム（ＥＰＳ）のコアネットワークタイプおよび第５世代システム（５ＧＳ）のコアネットワークタイプを含む複数のネットワークタイプのうちの特定のタイプを含む、システム情報を送信することと
を行うように動作可能な処理回路機器（１２２０）を備え、
前記１つまたは複数のコアネットワークのうちの１つのコアネットワークが、５ＧＳのコアネットワークであり、
前記コアネットワークのための前記システム情報が、ＥＰＳに関する意図とは異なる５ＧＳに関する意図を有するパラメータを含むか、又は
前記コアネットワークのための前記システム情報が、５ＧＳ固有のシステム情報ブロックを含む、ネットワークノード（１２０）。
【請求項２９】
前記１つまたは複数のコアネットワークの各コアネットワークに関する前記ネットワークタイプについての前記指示が、前記ネットワークノードに接続された１つまたは複数の地上波公共移動通信ネットワーク（ＰＬＭＮ）の識別子のリスト、および前記１つまたは複数のＰＬＭＮの各ＰＬＭＮによってサポートされる１つまたは複数のネットワークタイプについての指示を含む、請求項２８に記載のネットワークノード。
【請求項３０】
前記１つまたは複数のコアネットワークの各コアネットワークに関する前記ネットワークタイプについての前記指示が、システム情報ブロック１（ＳＩＢ１）またはシステム情報ブロック２（ＳＩＢ２）の中にある、請求項２８または２９に記載のネットワークノード。
【請求項３１】
前記コアネットワークのための前記システム情報が、ＥＰＳに関する意図とは異なる５ＧＳに関する意図を有するパラメータを含む、請求項２８から３０のいずれか一項に記載のネットワークノード。
【請求項３２】
前記コアネットワークのための前記システム情報が、５ＧＳ固有のシステム情報ブロックを含む、請求項２８から３１のいずれか一項に記載のネットワークノード。
【請求項３３】
前記処理回路機器が、前記システム情報の１つまたは複数の情報要素が５ＧＳに従って解釈されることになるという指示を送信するようにさらに動作可能な、請求項３１または３２に記載のネットワークノード。
【請求項３４】
前記処理回路機器が、専用シグナリングを送信すること、またはブロードキャストシグナリングを送信することによって、前記１つまたは複数の情報要素が５ＧＳに従って解釈されることになるという前記指示を送信するように動作可能である、請求項３３に記載のネットワークノード。
【請求項３５】
コアネットワークと関連付けられたシステム情報を獲得する能力がある無線デバイス（１１０）であって、当該無線デバイス（１１０）は、受信モジュール（１１５０）および決定モジュール（１１５２）を備え、
前記受信モジュールが、ネットワークノード（１２０）からシステム情報を受信するように動作可能であり、前記ネットワークノードが、１つまたは複数のコアネットワーク（３２０）に接続され、前記システム情報が、前記１つまたは複数のコアネットワークの各コアネットワークに関するネットワークタイプについての指示を含み、前記ネットワークタイプが、拡張パケットシステム（ＥＰＳ）のコアネットワークタイプおよび第５世代システム（５ＧＳ）のコアネットワークタイプを含む複数のネットワークタイプのうちの特定のタイプを含み、
前記決定モジュールが、
前記複数のネットワークタイプに接続するための前記無線デバイスの能力を決定すること、ならびに
前記コアネットワークの前記ネットワークタイプ、および前記複数のネットワークタイプに接続するための前記無線デバイスの前記能力に基づいて、前記１つまたは複数のコアネットワークのうちの１つのコアネットワークに接続するべきかどうかを決定すること
を行うように動作可能である、無線デバイス（１１０）。
【請求項３６】
コアネットワーク（３２０）と関連付けられたシステム情報を提供する能力があるネットワークノード（１２０）であって、当該ネットワークノード（１２０）は、決定モジュール（１２５０）および送信モジュール（１２５２）を備え、
前記決定モジュールが、１つまたは複数のコアネットワークに前記ネットワークノードが接続されることを決定するように動作可能であり、
前記送信モジュールが、システム情報を送信するように動作可能であり、前記システム情報が、前記１つまたは複数のコアネットワークの各コアネットワークに関するネットワークタイプについての指示を含み、前記ネットワークタイプが、拡張パケットシステム（ＥＰＳ）のコアネットワークタイプおよび第５世代システム（５ＧＳ）のコアネットワークタイプを含む複数のネットワークタイプのうちの特定のタイプを含み、
前記１つまたは複数のコアネットワークのうちの１つのコアネットワークが、５ＧＳのコアネットワークであり、
前記コアネットワークのための前記システム情報が、ＥＰＳに関する意図とは異なる５ＧＳに関する意図を有するパラメータを含むか、又は
前記コアネットワークのための前記システム情報が、５ＧＳ固有のシステム情報ブロックを含む、ネットワークノード（１２０）。
【発明の詳細な説明】
【技術分野】
【０００１】
本開示の一定の実施形態は、一般に、無線通信に関し、より詳細には、第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）のエボルブドパケットシステム（ＥＰＳ：ｅｖｏｌｖｅｄ  ｐａｃｋｅｔ  ｓｙｓｔｅｍ）、および第５世代システム（５ＧＳ：ｆｉｆｔｈ  ｇｅｎｅｒａｔｉｏｎ  ｓｙｓｔｅｍ）のコアネットワークのうちの１つまたは複数をサポートするセル内でブロードキャストされるシステム情報（ＳＩ：ｓｙｓｔｅｍ  ｉｎｆｏｒｍａｔｉｏｎ）の曖昧さを解決することに関する。
【背景技術】
【０００２】
標準化団体である第３世代パートナーシッププロジェクト（３ＧＰＰ）は、現在、新しい無線（ＮＲ：ｎｅｗ  ｒａｄｉｏ）、第５世代（５Ｇ）、５Ｇ−ＮＲ、または次世代ユニバーサル地上無線アクセス（Ｇ−ＵＴＲＡ）、ならびに次世代パケットコアネットワーク（ＮＧ−ＣＮ、ＮＧＣ、５ＧＣ、または５Ｇ−ＣＮ）と呼ばれる新しい無線インターフェースを指定している。下記は、次世代システム（ＮＧＳ）のための高レベルアーキテクチャを含む、３ＧＰＰ  ＴＳ２３．７９９  ｖ１．１．０（参照により本明細書に組み込まれる）に基づく簡単な説明である。
【０００３】
図１は、５Ｇシステムの高レベルアーキテクチャを示すブロック図である。示されたアーキテクチャは、本明細書で説明される処理のための参照モデルとして使用されることが可能である。図１は、次世代ユーザ機器（ＵＥ：ｕｓｅｒ  ｅｑｕｉｐｍｅｎｔ）１０、次世代無線アクセスネットワーク（ＲＡＮ：ｒａｄｉｏ  ａｃｃｅｓｓ  ｎｅｔｗｏｒｋ）２０、次世代コアネットワーク３０、およびこれらの基準点を含む。次世代ＲＡＮ２０（５Ｇ−ＲＡＮとも呼ばれる）は、様々な無線基地局（例えば、ｌｏｎｇ  ｔｅｒｍ  ｅｖｏｌｕｔｉｏｎ（ＬＴＥ）のｅＮＢ、およびＮＲのｇＮＢ）を含むことができる。
【０００４】
次世代ＵＥ１０は、次世代ＲＡＮ２０に連結される。次世代ＲＡＮ２０は、通信経路ＮＧ２またはＮＧ３で次世代ＣＮ３０に連結され、次にインターネットなどのデータネットワーク４０に連結される。ＮＧ１は、次世代ＵＥ１０と次世代ＣＮ３０との間の制御プレーンの基準点を表す。ＮＧ２は、次世代ＲＡＮ２０と次世代ＣＮ３０との間の制御プレーンの基準点を表す。ＮＧ３は、次世代ＲＡＮ２０と次世代ＣＮ３０との間のユーザプレーンの基準点を表す。ＮＧ６は、次世代ＣＮ３０とデータネットワーク４０との間の基準点を表す。データネットワーク４０は、オペレータの外部にあるパブリックデータネットワークもしくはプライベートデータネットワーク、または（例えばＩＰマルチメディアサブシステム（ＩＭＳ）のサービスの提供のための）オペレータ内部のデータネットワークであることが可能である。ＮＧ６は、３ＧＰＰアクセスのためのＳＧｉに対応する。ＳＧｉは、パケットデータネットワーク（ＰＤＮ）のゲートウェイ（ＧＷ）とパケットデータネットワーク（ＰＤＮ）との間のインターフェースの基準点である。
【０００５】
異なる３ＧＰＰコアネットワーク（例えばＥＰＣベースおよび５ＧＣベース）に基づくネットワーク展開、ならびに異なる能力（例えばＥＰＣ−ＮＡＳおよび５ＧＣ−ＮＡＳ）を有するＵＥは、１つの地上波公共移動通信ネットワーク（ＰＬＭＮ：ｐｕｂｌｉｃ  ｌａｎｄ  ｍｏｂｉｌｅ  ｎｅｔｗｏｒｋ）の中で同時に共存することができる。「Ｍｉｇｒａｔｉｏｎ−Ａｒｃｈｉｔｅｃｔｕｒｅ」、Ｑｕａｌｃｏｍｍ  Ｉｎｃ．、ＳＡ２＃１１８ｂｉｓという名称の３ＧＰＰサブミッションＳ２−１７０６７３の中で１つの例が説明されており、これらは参照により本明細書に組み込まれる。５ＧＣ−ＮＡＳ手順をサポートする能力のあるＵＥは、ＥＰＣ−ＮＡＳ手順をサポートする能力もある可能性がある。したがって、ＥＰＣ−ＮＡＳの能力しかないＵＥがＥＰＣに接続されなければならない一方で、５ＧＣ−ＮＡＳの能力のあるＵＥは、ＥＰＣか５ＧＣのどちらかに接続されることが可能である。
【０００６】
ＬＴＥのｅＮＢは、（例えばＲＡＮネットワーク共有のために）複数のＰＬＭＮに属すことができる。各ＰＬＭＮに対して、ＬＴＥのｅＮＢは、（１）ＥＰＣのみ、（２）５ＧＣのみ、または（３）ＥＰＣと５ＧＣの両方、に接続されることが可能である。これは、その時々において異なるオペレータが５ＧＣへのサポートを導入できるためである可能性がある。
【０００７】
ＬＴＥのｅＮＢは、コアネットワーク選択を行っている様々なＵＥを支援するために、各ＰＬＭＮでどのコアネットワークが利用可能であるかについての情報をブロードキャストすることができる。したがって、ＬＴＥのシステム情報（ＳＩ）は、利用可能なコアネットワークについての情報を各ＰＬＭＮに提供するために拡張されることが可能である。システム情報の拡張は、下位互換性を保証するべきである。例えば、拡張は、ＥＰＣ−ＮＡＳの能力しかないＵＥが、ＥＰＣに接続され、したがってＥＰＳによってサーブされることが可能であることを保証することができる。５ＧＣだけに接続されるＬＴＥのｅＮＢについては、ＥＰＣ−ＮＡＳの能力しかないＵＥは禁止されるべきであり、異なるセルへの再選択を行うべきである。
【０００８】
ＳｙｓｔｅｍＩｎｆｏｒｍａｔｉｏｎＢｌｏｃｋ１およびＳｙｓｔｅｍＩｎｆｏｒｍａｔｉｏｎＢｌｏｃｋ２の現在のバージョンが、参照のために下記に示される。
0006915069.tif 000002
0006915069.tif 000003
0006915069.tif 000004
0006915069.tif 000005
0006915069.tif 000006
0006915069.tif 000007
0006915069.tif 000008
0006915069.tif 000009
0006915069.tif 000010
0006915069.tif 000011
0006915069.tif 000012
0006915069.tif 000013
0006915069.tif 000014
【０００９】
既存のシステム情報に伴う問題は、ＥＰＣ／ＥＰＳに接続される旧式のＵＥをセルがサーブできるように、ＥＰＳと５ＧＳの両方をサーブするセルにおけるシステム情報が、理想的には下位互換性があるべきであるというものである。その一方で、無線リソースは乏しいので、５ＧＣに接続され、５ＧＳによってサーブされるＵＥのために新しい個別のＳＩを設計することは容認できない。これは、ＥＰＳおよび５ＧＳにおけるネットワークの有効性についての情報が曖昧になることがあるので、ＳＩを介してＵＥによって獲得されたネットワーク設定とネットワークの能力についての情報に影響を及ぼす。２つの例が下記で簡単に論じられる。
【００１０】
共有ＲＡＮ（Ｍｕｌｔｉ  Ｏｐｅｒａｔｏｒ  Ｃｏｒｅ  Ｎｅｔｗｏｒｋ  ｓｕｐｐｏｒｔ、ＴＳ２３．５１２参照）に対して、セルは、ＰＬＭＮとしてリスト化されたセルを共有するオペレータのリストをＳＩの中でブロードキャストする。登録（Ａｔｔａｃｈ）時に、ＵＥは、ＵＥが選択したＰＬＭＮをＲＡＮに示す。しかし選択処理において、５ＧＳにおいて、ならびにＥＰＳにおいて、またはシステムのうちのただ１つにおいて、選択したＰＬＭＮがサポートされるかどうかをＵＥは決定することができない。
【００１１】
同様に、他のブロードキャストされるネットワーク能力（例えば、マルチメディアブロードキャストマルチキャストサービス（ＭＢＭＳ）、アクセスバーリング（ａｃｃｅｓｓ  ｂａｒｒｉｎｇ）、等）は、システムレベルに対するネットワーク能力の適用性（すなわち、ＥＰＳにおいて、ならびに５ＧＳにおいて、ネットワーク能力が同レベルで適用可能であるかどうか）について曖昧である可能性がある。これは、ＵＥが曖昧な情報を受信するという結果になる可能性があり、正しくない決定を行わせ、ネットワーク設定の調整を誤らせるという結果をＵＥにもたらす。
【発明の概要】
【００１２】
一定の実施形態は、エボルブドパケットシステム（ＥＰＳ）または第５世代システム（５ＧＳ）において特定のシステム情報を有効であるとユーザ機器（ＵＥ）が明確に識別できる、第５世代システムコア（５ＧＳＣ）ネットワークへの特定のシステム情報の適用性をそのシステム情報（ＳＩ）の中で示す無線アクセスネットワーク（ＲＡＮ）／セルを含む。
【００１３】
例えば、共有ＲＡＮに対して、システム情報は、地上波公共移動通信ネットワーク（ＰＬＭＮ）が５ＧＳをサポートするかどうかを示すことができる。いくつかの実施形態は、５ＧＳしかサポートしない将来のｌｏｎｇ  ｔｅｒｍ  ｅｖｏｌｕｔｉｏｎ（ＬＴＥ）セルを促進することができる。特定の実施形態は、旧式のＵＥがセルにキャンプすることまたは接続することを防ぐ既存パラメータを使用してオペレータ使用のためのセルを禁止することを含む。５ＧＳをサポートする新しいＵＥは、このパラメータを無視する。特定の実施形態は、新しいパラメータを使用して、５ＧＳをサポートするＵＥに対してもセルが禁止されるかどうかを示す。
【００１４】
いくつかの実施形態によれば、コアネットワークと関連付けられたシステム情報を獲得するという、無線デバイスにおける使用のための方法は、システム情報（例えば、システム情報ブロック１（ＳＩＢ１：ｓｙｓｔｅｍ  ｉｎｆｏｒｍａｔｉｏｎ  ｂｌｏｃｋ  ｏｎｅ）、システム情報ブロック２（ＳＩＢ２：ｓｙｓｔｅｍ  ｉｎｆｏｒｍａｔｉｏｎ  ｂｌｏｃｋ  ｔｗｏ）、等）をネットワークノードから受信することを含む。ネットワークノードは、１つまたは複数のコアネットワークに接続される。システム情報は、各コアネットワークに関するネットワークタイプ（例えば、ＥＰＳ、５ＧＳ、等）についての指示を含む。方法は、複数のネットワークタイプに接続するための無線デバイスの能力を決定することと、ネットワークタイプおよび無線デバイスの能力に基づいて、コアネットワークに接続するべきかどうかを決定することと、をさらに含む。特定の実施形態において、ネットワークタイプについての指示は、ネットワークノードに接続されたＰＬＭＮのリスト、および各ＰＬＭＮによってサポートされるネットワークタイプについての指示を含む。
【００１５】
特定の実施形態において、コアネットワークに接続するべきかどうかを決定することは、１つまたは複数のコアネットワークのいずれにも接続しないことを決定することを含み、方法は、異なるネットワークノードに接続することをさらに含む。
【００１６】
特定の実施形態において、複数のネットワークタイプに接続するための無線デバイスの能力を決定することは、無線デバイスが５ＧＳのコアネットワークタイプに接続する能力があると決定することを含み、方法は、ＥＰＳに関してではなく特に５ＧＳに関して、受信されたシステム情報の１つまたは複数のパラメータを解釈することをさらに含む（例えば、ＥＰＳ禁止パラメータを無視して５ＧＳ禁止パラメータを選択する）。特に５ＧＳに関して、受信されたシステム情報の１つまたは複数のパラメータを解釈することは、システム情報の１つまたは複数の情報要素が５ＧＳに従って解釈されることになるという指示を取得すること（例えば専用シグナリングまたはブロードキャストシグナリングをネットワークノードから受信すること）を含むことができる。１つまたは複数の情報要素が５ＧＳに従って解釈されることになるという指示を取得することは、５ＧＳのコアネットワークに無線デバイスが接続されることを決定することを含むことができる。
【００１７】
特定の実施形態において、複数のネットワークタイプに接続するための無線デバイスの能力を決定することは、無線デバイスが５ＧＳのコアネットワークタイプに接続する能力があると決定することを含み、方法は、５ＧＳ固有のシステム情報ブロックを獲得することをさらに含む。
【００１８】
いくつかの実施形態によれば、無線デバイスは、コアネットワークと関連付けられたシステム情報を獲得する能力がある。無線デバイスは、システム情報（例えば、ＳＩＢ１、ＳＩＢ２、等）をネットワークノードから受信するように動作可能な処理回路機器を備える。ネットワークノードは、１つまたは複数のコアネットワークに接続される。システム情報は、各コアネットワークに関するネットワークタイプ（例えば、ＥＰＳ、５ＧＳ、等）についての指示を含む。処理回路機器は、複数のネットワークタイプに接続するための無線デバイスの能力を決定することと、ネットワークタイプ、および複数のネットワークタイプに接続するための無線デバイスの能力に基づいて、コアネットワークに接続するべきかどうかを決定することと、を行うようにさらに動作可能である。特定の実施形態において、ネットワークタイプについての指示は、ネットワークノードに接続されたＰＬＭＮのリスト、および各ＰＬＭＮによってサポートされるネットワークタイプについての指示を含む。
【００１９】
特定の実施形態において、処理回路機器は、コアネットワークのいずれにも接続しないことを決定し、処理回路機器は、異なるネットワークノードに接続するようにさらに動作可能である。
【００２０】
特定の実施形態において、処理回路機器は、無線デバイスが５ＧＳのコアネットワークタイプに接続する能力があると決定し、処理回路機器は、ＥＰＳに関してではなく特に５ＧＳに関して、受信されたシステム情報の１つまたは複数のパラメータを解釈するようにさらに動作可能である（例えば、ＥＰＳ禁止パラメータを無視して５ＧＳ禁止パラメータを選択する）。処理回路機器は、システム情報の１つまたは複数の情報要素が５ＧＳに従って解釈されることになるという指示を取得すること（例えば専用シグナリングまたはブロードキャストシグナリングをネットワークノードから受信すること）によって、特に５ＧＳに関して、受信されたシステム情報の１つまたは複数のパラメータを解釈するように動作可能であることが可能である。処理回路機器は、５ＧＳのコアネットワークに無線デバイスが接続されることを決定することによって、１つまたは複数の情報要素が５ＧＳに従って解釈されることになるという指示を取得するように動作可能であることが可能である。
【００２１】
特定の実施形態において、処理回路機器は、無線デバイスが５ＧＳのコアネットワークタイプに接続する能力があると決定し、処理回路機器は、５ＧＳ固有のシステム情報ブロックを獲得するようにさらに動作可能である。
【００２２】
いくつかの実施形態によれば、コアネットワークと関連付けられたシステム情報を提供するという、ネットワークノードにおける使用のための方法は、１つまたは複数のコアネットワークにネットワークノードが接続されることを決定することと、システム情報（例えば、ＳＩＢ１、ＳＩＢ２、等）を送信することと、を含む。システム情報は、各コアネットワークに関するネットワークタイプ（例えば、ＥＰＳ、５ＧＳ、等）についての指示を含む。ネットワークタイプについての指示は、ネットワークノードに接続された１つまたは複数のＰＬＭＮの識別子のリスト、および各ＰＬＭＮによってサポートされる１つまたは複数のネットワークタイプについての指示を含むことができる。
【００２３】
特定の実施形態において、１つまたは複数のコアネットワークのうちの１つのコアネットワークは、５ＧＳのコアネットワークである。コアネットワークのためのシステム情報は、ＥＰＳに関する意図とは異なる５ＧＳに関する意図を有するパラメータを含む。システム情報は、５ＧＳ固有のシステム情報ブロックを含むことができる。
【００２４】
特定の実施形態において、方法は、システム情報の１つまたは複数の情報要素が５ＧＳに従って解釈されることになるという指示（例えば専用シグナリングまたはブロードキャストシグナリング）を送信することをさらに含む。
【００２５】
いくつかの実施形態によれば、ネットワークノードは、コアネットワークと関連付けられたシステム情報を提供する能力がある。ネットワークノードは、１つまたは複数のコアネットワークにネットワークノードが接続されることを決定することと、システム情報（例えば、ＳＩＢ１、ＳＩＢ２、等）を送信することと、を行うように動作可能な処理回路機器を備える。システム情報は、１つまたは複数のコアネットワークの各コアネットワークに関するネットワークタイプ（例えば、ＥＰＳ、５ＧＳ、等）についての指示を含む。ネットワークタイプについての指示は、ネットワークノードに接続された１つまたは複数のＰＬＭＮの識別子のリスト、および各ＰＬＭＮによってサポートされる１つまたは複数のネットワークタイプについての指示を含むことができる。
【００２６】
特定の実施形態において、１つまたは複数のコアネットワークのうちの１つのコアネットワークは、５ＧＳのコアネットワークである。コアネットワークのためのシステム情報は、ＥＰＳに関する意図とは異なる５ＧＳに関する意図を有するパラメータを含む。システム情報は、５ＧＳ固有のシステム情報ブロックを含むことができる。
【００２７】
特定の実施形態において、処理回路機器は、システム情報の１つまたは複数の情報要素が５ＧＳに従って解釈されることになるという指示（例えば専用シグナリングまたはブロードキャストシグナリング）を送信するようにさらに動作可能である。
【００２８】
いくつかの実施形態によれば、無線デバイスは、コアネットワークと関連付けられたシステム情報を獲得する能力がある。無線デバイスは、受信モジュールおよび決定モジュールを備える。受信モジュールは、ネットワークノードからシステム情報を受信するように動作可能である。ネットワークノードは、１つまたは複数のコアネットワークに接続される。システム情報は、１つまたは複数のコアネットワークの各コアネットワークに関するネットワークタイプについての指示を含む。決定モジュールは、複数のネットワークタイプに接続するための無線デバイスの能力を決定すること、ならびにコアネットワークのネットワークタイプ、および複数のネットワークタイプに接続するための無線デバイスの能力に基づいて、１つまたは複数のコアネットワークのうちの１つのコアネットワークに接続するべきかどうかを決定すること、を行うように動作可能である。
【００２９】
いくつかの実施形態によれば、ネットワークノードは、コアネットワークと関連付けられたシステム情報を提供する能力がある。ネットワークノードは、決定モジュールおよび送信モジュールを備える。決定モジュールは、１つまたは複数のコアネットワークにネットワークノードが接続されることを決定するように動作可能である。送信モジュールは、システム情報を送信するように動作可能である。システム情報は、１つまたは複数のコアネットワークの各コアネットワークに関するネットワークタイプについての指示を含む。
【００３０】
コンピュータプログラム製品も開示される。コンピュータプログラム製品は、プロセッサによって実行されると、特定のネットワークタイプ（例えば、ＥＰＳ、５ＧＳ、等）の１つまたは複数のコアネットワークに接続されるネットワークノードからシステム情報を受信することと、複数のネットワークタイプに接続するための無線デバイスの能力を決定することと、コアネットワークのネットワークタイプ、および無線デバイスの能力に基づいて、コアネットワークに接続するべきかどうかを決定することと、を行うステップを行う、非一時的コンピュータ可読媒体に格納された命令を有する。
【００３１】
別のコンピュータプログラム製品は、プロセッサによって実行されると、１つまたは複数のコアネットワークにネットワークノードが接続されることを決定することと、システム情報（例えば、ＳＩＢ１、ＳＩＢ２、等）を送信することと、を行うステップを行う、非一時的コンピュータ可読媒体に格納された命令を有する。システム情報は、各コアネットワークに関するネットワークタイプ（例えば、ＥＰＳ、５ＧＳ、等）についての指示を含む。
【００３２】
本開示の一定の実施形態は、１つまたは複数の技術的長所をもたらすことができる。例えば、いくつかの実施形態において、ＵＥは、ＥＰＳと５ＧＳを同時にサーブするセルからシステム情報を獲得するときにシステム情報の内容を明確に解釈することができる。これは、ネットワーク能力をＵＥが間違って理解しないようにすることができる。ＰＬＭＮ毎に５ＧＣへのサポートを示すという特定の実施形態は、異なるオペレータが同じＲＡＮノードを共有することを容易にする。５ＧＣへのサポートにアップグレードすることは、その時々において行われることが可能である。全てのオペレータが同時にアップグレードすることを要求することは、より困難であり、したがって望ましくない。一定の実施形態は、説明された長所を何も有していなくてもよく、説明された長所のいくつかまたは全てを有していてもよい。
【００３３】
実施形態ならびにこれらの特徴および長所のより完全な理解のために、添付の図面と併用して、以下の説明に対する参照がここから行われる。
【図面の簡単な説明】
【００３４】
【図１】５Ｇシステムの高レベルアーキテクチャを示すブロック図である。
【図２】特定の実施形態による無線ネットワークの例を示すブロック図である。
【図３】いくつかの実施形態によるユーザ機器における方法の例の流れ図である。
【図４】いくつかの実施形態によるネットワークノードにおける方法の例の流れ図である。
【図５Ａ】無線デバイスの実施形態の例を示すブロック図である。
【図５Ｂ】無線デバイスの構成要素の例を示すブロック図である。
【図６Ａ】ネットワークノードの実施形態の例を示すブロック図である。
【図６Ｂ】ネットワークノードの構成要素の例を示すブロック図である。
【図７】コアネットワークノードの実施形態の例を示すブロック図である。
【発明を実施するための形態】
【００３５】
導入において説明されたように、第３世代パートナーシッププロジェクト（３ＧＰＰ）は、現在、第５世代（５Ｇ）の新しい無線（ＮＲ）、および次世代パケットコアネットワーク（ＮＧ−ＣＮ、ＮＧＣ、５ＧＣ、または５Ｇ−ＣＮ）を指定しているところである。異なる３ＧＰＰコアネットワーク（例えばエボルブドパケットコア（ＥＰＣ）ベースおよび５ＧＣベース）に基づくネットワーク展開、ならびに異なる能力（例えばＥＰＣ−ＮＡＳおよび５ＧＣ−ＮＡＳ）を有するユーザ機器（ＵＥ）は、１つの地上波公共移動通信ネットワーク（ＰＬＭＮ）内で同時に共存することができる。５ＧＣ−ＮＡＳ手順をサポートする能力のあるＵＥは、ＥＰＣ−ＮＡＳ手順をサポートする能力もある可能性がある。したがって、ＥＰＣ−ＮＡＳの能力しかないＵＥがＥＰＣに接続されなければならない一方で、５ＧＣ−ＮＡＳの能力のあるＵＥは、ＥＰＣか５ＧＣのどちらかに接続されることが可能である。
【００３６】
ｌｏｎｇ  ｔｅｒｍ  ｅｖｏｌｕｔｉｏｎ（ＬＴＥ）のｅＮＢは、（例えばＲＡＮネットワーク共有のために）複数のＰＬＭＮに属すことができる。各ＰＬＭＮに対して、ＬＴＥのｅＮＢは、（１）ＥＰＣのみ、（２）５ＧＣのみ、または（３）ＥＰＣと５ＧＣの両方、に接続されることが可能である。これは、その時々において異なるオペレータが５ＧＣへのサポートを導入できるためである可能性がある。
【００３７】
ＬＴＥのｅＮＢは、コアネットワーク選択を行っている様々なＵＥを支援するために、各ＰＬＭＮでどのコアネットワークが利用可能であるかについての情報をブロードキャストすることができる。特定の実施形態は、各ＰＬＭＮに対する利用可能なコアネットワークについての情報を提供するためにＬＴＥのシステム情報（ＳＩ）を拡張することができる。特定の実施形態は下位互換性を保証する。例えば、特定の実施形態は、ＥＰＣ−ＮＡＳの能力しかないＵＥがＥＰＣに接続され、したがってＥＰＳによってサーブされることが可能であるということを保証する。５ＧＣだけに接続されるＬＴＥのｅＮＢに対して、ＥＰＣ−ＮＡＳの能力しかないＵＥは、禁止されることが可能であり、異なるセルへの再選択を行うことが可能である。
【００３８】
一定の実施形態は、エボルブドパケットシステム（ＥＰＳ）または第５世代システム（５ＧＳ）において特定のシステム情報を有効であるとＵＥが明確に識別できる、５ＧＳネットワークへの特定のシステム情報の適用性をそのＳＩの中で示す無線アクセスネットワーク（ＲＡＮ）／セルを含む。
【００３９】
例えば、共有ＲＡＮに対して、システム情報は、ＰＬＭＮが５ＧＳをサポートするかどうかを示すことができる。いくつかの実施形態は、将来のＬＴＥセルが５ＧＳしかサポートしないことを促進することができる。特定の実施形態は、旧式のＵＥがセルにキャンプすることまたは接続することを防ぐ既存パラメータを使用してオペレータ使用のためのセルを禁止することを含む。５ＧＳをサポートする新しいＵＥは、このパラメータを無視する。特定の実施形態は、新しいパラメータを使用して、５ＧＳをサポートするＵＥに対してもセルが禁止されるかどうかを示す。
【００４０】
いくつかの実施形態において、ＵＥは、ＥＰＳと５ＧＳを同時にサーブするセルからシステム情報を獲得するときにシステム情報の内容を明確に解釈することができる。これは、ネットワーク能力をＵＥが間違って理解しないようにすることができる。ＰＬＭＮ毎に５ＧＣへのサポートを示すという特定の実施形態は、異なるオペレータが同じＲＡＮノードを共有することを容易にする。５ＧＣへのサポートにアップグレードすることは、その時々において行われることが可能である。全てのオペレータが同時にアップグレードすることを要求することは、より困難であり、したがって望ましくない。
【００４１】
「１つの実施形態（ｏｎｅ  ｅｍｂｏｄｉｍｅｎｔ）」、「１つの実施形態（ａｎ  ｅｍｂｏｄｉｍｅｎｔ）」、「実施形態の１つ例（ａｎ  ｅｘａｍｐｌｅ  ｅｍｂｏｄｉｍｅｎｔ）」、等への本明細書における言及は、説明される実施形態が、特定の特徴、構造、または特性を含むことができるということを示すが、あらゆる実施形態は、特定の特徴、構造、または特性を必ずしも含まなくてもよい。さらに、このような句は、同じ実施形態に必ずしも言及しない。さらに、特定の特徴、構造、または特性が実施形態に関連して説明されるとき、明示的に説明されてもされなくても、他の実施形態に関連するこのような特徴、構造、または特性を実装するということを当業者は知っているということが提起される。
【００４２】
全体的に、本明細書で使用される全ての用語は、本明細書において別途明示的に規定されない限り、技術分野におけるこれらの普通の意味に従って解釈されることになる。別途明示的に述べられない限り、「１つの（ａ）／１つの（ａｎ）／この（ｔｈｅ）要素、装置、構成要素、手段、ステップ、等」への全ての言及は、要素、装置、構成要素、手段、ステップ、等の少なくとも１つ例に言及するものと率直に解釈されることになる。本明細書で開示された任意の方法のステップは、明示的に述べられない限り、開示された正確な順序で行われる必要はない。
【００４３】
特定の実施形態は、図面の図２〜図７を参照しながら説明され、同様の数字は、様々な図面の同様かつ対応する部分に対して使用される。ＬＴＥおよびＮＲが、セルラーシステムの例として本開示の全体を通して使用されるが、本明細書で提示されるアイデアは、他の無線通信システムにも同様に利用することができる。
【００４４】
図２は、特定の実施形態による無線ネットワークの例を示すブロック図である。無線ネットワーク１００は、１つまたは複数の無線デバイス１１０（携帯電話、スマートフォン、ラップトップコンピュータ、タブレット型コンピュータ、ＭＴＣデバイス、または無線通信を行うことができる他の任意のデバイスなど）、および複数のネットワークノード１２０（基地局またはｅＮｏｄｅＢなど）を含む。ネットワークノード１２０は、カバレッジエリア１１５（セル１１５とも呼ばれる）をサーブする。
【００４５】
一般に、無線ネットワークノード１２０のカバレッジ内（例えばネットワークノード１２０によってサーブされるセル１１５内）にある無線デバイス１１０は、無線信号１３０を送受信することによって無線ネットワークノード１２０と通信する。例えば、無線デバイス１１０および無線ネットワークノード１２０は、音声トラフィック、データトラフィック、および／または制御信号を含んでいる無線信号１３０を通信することができる。音声トラフィック、データトラフィック、および／または制御信号を無線デバイス１１０に通信するネットワークノード１２０は、無線デバイス１１０に対するサービングネットワークノード１２０と呼ばれることが可能である。
【００４６】
いくつかの実施形態において、無線デバイス１１０は、非限定的な用語「ＵＥ」によって言及されることが可能である。ＵＥには、ネットワークノードまたは別のＵＥと無線信号で通信する能力がある任意のタイプの無線デバイスを含めることができる。ＵＥには、無線通信デバイス、ターゲットデバイス、デバイス間（Ｄ２Ｄ）ＵＥ、マシンタイプＵＥもしくはマシンツーマシン通信（Ｍ２Ｍ）の能力のあるＵＥ、ＵＥを装備しているセンサ、ｉＰＡＤ、タブレット、モバイル端末、スマートフォン、ラップトップ内蔵機器（ＬＥＥ：ｌａｐｔｏｐ  ｅｍｂｅｄｄｅｄ  ｅｑｕｉｐｐｅｄ）、ラップトップ搭載型機器（ＬＭＥ）、ＵＳＢドングル、カスタマ構内設備（ＣＰＥ）、等を含めることができる。
【００４７】
いくつかの実施形態において、ネットワークノード１２０には、基地局、無線基地局、ベーストランシーバ基地局、基地局コントローラ、ネットワークコントローラ、エボルブドノードＢ（ｅＮＢ）、ノードＢ、ｇＮＢ、マルチＲＡＴ基地局、マルチセル／マルチキャスト整合エンティティ（ＭＣＥ：Ｍｕｌｔｉｃｅｌｌ／ｍｕｌｔｉｃａｓｔ  Ｃｏｏｒｄｉｎａｔｉｏｎ  ｅｎｔｉｔｙ）、中継ノード、アクセスポイント、無線アクセスポイント、リモートラジオユニット（ＲＲＵ）のリモート無線ヘッド（ＲＲＨ）、コアネットワークノード（例えば、ＭＭＥ、ＳＯＮノード、協調ノード、等）、または外部ノード（例えば、サードバーティノード、現在のネットワークの外部にあるノード）であっても、等などの任意のタイプのネットワークノードを含めることができる。
【００４８】
無線信号１３０は、ダウンリンク送信（無線ネットワークノード１２０から無線デバイス１１０へ）、およびアップリンク送信（無線デバイス１１０から無線ネットワークノード１２０へ）の両方を含むことができる。無線信号１３０は、データおよび制御チャネルの他に同期信号および参照信号を含むことができる。無線信号１３０は、システム情報を含むことができる。
【００４９】
各ネットワークノード１２０は、無線信号１３０を無線デバイス１１０に送信するための単一の送信器または複数の送信器を有することができる。いくつかの実施形態において、ネットワークノード１２０は、複数入力複数出力（ＭＩＭＯ）システムを備えることができる。同様に、各無線デバイス１１０は、ネットワークノード１２０から信号１３０を受信するための単一の受信器または複数の受信器を有することができる。
【００５０】
ネットワーク１００は、キャリアアグリゲーションを含むことができる。例えば、無線デバイス１１０は、ネットワークノード１２０ａとネットワークノード１２０ｂの両方によってサーブされること、およびネットワークノード１２０ａとネットワークノード１２０ｂの両方と無線信号１３０を通信することが可能である。
【００５１】
ネットワークノード１２０は、ＬＴＥスペクトルなどの認可された周波数スペクトルにおいて動作することができる。ネットワークノード１２０は、５ＧＨｚのＷｉ−Ｆｉスペクトルなどの認可されていない周波数スペクトルにおいて動作することもできる。認可されていない周波数スペクトルにおいて、ネットワークノード１２０は、ＩＥＥＥ８０２．１１のアクセスポイントおよび端末などの他のデバイスと共存することができる。認可されていないスペクトルを共有するために、ネットワークノード１２０は、無線信号１３０を送受信する前に交信前リッスン（ＬＢＴ：ｌｉｓｔｅｎ  ｂｅｆｏｒｅ  ｔａｌｋ）プロトコルを行うことができる。無線デバイス１１０は、認可されたスペクトルまたは認可されていないスペクトルの１つまたは両方において動作することもでき、いくつかの実施形態において、無線信号１３０を送信する前にＬＢＴプロトコルを行うこともできる。ネットワークノード１２０と無線デバイス１１０の両方は、認可された共有スペクトルにおいて動作することもできる。
【００５２】
例えば、ネットワークノード１２０ａは、認可されたスペクトルにおいて動作することができ、ネットワークノード１２０ｂは、認可されていないスペクトルにおいて動作することができる。無線デバイス１１０は、認可されたスペクトルと認可されていないスペクトルの両方において動作することができる。特定の実施形態において、ネットワークノード１２０ａおよびネットワークノード１２０ｂは、認可されたスペクトル、認可されていないスペクトル、認可された共有スペクトル、または任意の組合せにおいて動作するように設定可能であることが可能である。セル１１５ｂのカバレッジエリアは、セル１１５ａのカバレッジエリアに含まれるものとして示されているが、特定の実施形態において、セル１１５ａおよびセル１１５ｂのカバレッジエリアは、部分的に重複してもよく、全く重複しなくてもよい。
【００５３】
一定の実施形態において、ネットワークノード１２５は、無線ネットワークコントローラ（ＲＮＣ）とインターフェースすることができる。無線ネットワークコントローラは、ネットワークノード１２０を制御することができ、一定の無線リソース管理機能、移動管理機能、および／または他の適切な機能を行うことができる。一定の実施形態において、無線ネットワークコントローラの機能は、ネットワークノード１２０に含まれることが可能である。無線ネットワークコントローラは、コアネットワークノード３２０などのコアネットワークノード（ＣＮ）とインターフェースすることができる。
【００５４】
コアネットワークノード３２０には、ＥＰＳのコアネットワークノード、５ＧＳのコアネットワークノード、または他の任意の適切なタイプのコアネットワークノードを含めることができる。いくつかの実施形態において、ネットワークノード１２０は、１つまたは複数のコアネットワークノード（例えばコアネットワークノード３２０ａおよびコアネットワークノード３２０ｂ）に接続されることが可能である。コアネットワークノード３２０ａおよびコアネットワークノード３２０ｂは、同じまたは異なるネットワークタイプのものであることが可能である。
【００５５】
一定の実施形態において、無線ネットワークコントローラは、相互接続有線ネットワークまたは相互接続無線ネットワークを介してコアネットワークノード３２０とインターフェースすることができる。相互接続ネットワークは、オーディオ、ビデオ、信号、データ、メッセージ、または前述のいずれかの組合せを送信する能力のある任意の相互接続システムを指すことができる。相互接続ネットワークは、公衆交換電話網（ＰＳＴＮ）、パブリックデータネットワークもしくはプライベートデータネットワーク、ローカルエリアネットワーク（ＬＡＮ）、メトロポリタンエリアネットワーク（ＭＡＮ）、広域ネットワーク（ＷＡＮ）、インターネットなどのローカル、地域、もしくはグローバルの通信ネットワークもしくはコンピュータネットワーク、有線ラインもしくは無線ネットワーク、企業イントラネット、またはこれらの組合せを含む他の任意の適切な通信リンクの全てまたは一部を含むことができる。
【００５６】
いくつかの実施形態において、コアネットワークノード３２０は、通信セッションの確立、および無線デバイス１１０に関する他の様々な機能を管理することができる。コアネットワークノード３２０の例は、モバイル交換局（ＭＳＣ）、移動管理エンティティ（ＭＭＥ）、サービングゲートウェイ（ＳＧＷ）、パケットデータネットワークゲートウェイ（ＰＧＷ）、運用保守（Ｏ＆Ｍ）、オペレーションサポートシステム（ＯＳＳ）、ＳＯＮ、位置決めノード（例えば拡張サービングモバイルロケーションセンタ（Ｅ−ＳＭＬＣ））、ＭＤＴノード、等を含むことができる。無線デバイス１１０は、非アクセス層レイヤを使用してコアネットワークノード３２０と一定の信号を交換することができる。非アクセス層シグナリングにおいて、無線デバイス１１０とコアネットワークノード３２０との間の信号は、無線アクセスネットワークを透過的に通過されることが可能である。一定の実施形態において、ネットワークノード１２０は、例えばＸ２インターフェースなどのノード間インターフェースで１つまたは複数のネットワークノード１２０とインターフェースすることができる。
【００５７】
いくつかの実施形態において、ネットワークノード１２０は、システム情報をブロードキャストする。無線デバイス１１０ａおよび無線デバイス１１０ｂは、ネットワーク設定を決定するためのシステム情報を受信することができる。無線デバイス１１０ａおよび無線デバイス１１０ｂは、ネットワーク設定を使用してネットワークに接続することができる。
【００５８】
いくつかの実施形態によれば、無線デバイス１１０は、システム情報（例えばシステム情報ブロック１（ＳＩＢ１）、システム情報ブロック２（ＳＩＢ２）、等）をネットワークノード１２０から受信することによって、コアネットワーク３２０と関連付けられたシステム情報を獲得することができる。ネットワークノード１２０は、１つまたは複数のコアネットワーク３２０に接続される。システム情報は、各コアネットワーク３２０に関するネットワークタイプ（例えば、ＥＰＳ、５ＧＳ、等）についての指示を含む。無線デバイス１１０は、複数のネットワークタイプに接続するための無線デバイス１１０の能力を決定する。例えば、無線デバイス１１０は、ＥＰＳのみ、５ＧＳのみ、ＥＰＳと５ＧＳの両方、等に無線デバイス１１０が接続できるかどうかを決定する。無線デバイス１１０は、ネットワークタイプ、および無線デバイス１１０の能力に基づいて、特定のコアネットワーク３２０に接続するべきかどうかを決定する。特定の実施形態において、ネットワークタイプについての指示は、ネットワークノードに接続されたＰＬＭＮのリスト、および各ＰＬＭＮによってサポートされるネットワークタイプについての指示を含む。
【００５９】
特定の実施形態において、コアネットワーク３２０に接続するべきかどうかを決定することは、１つまたは複数のコアネットワーク３２０のいずれにも接続しないことを決定することを含む。例えば、無線デバイス１１０の能力（例えばＥＰＳのみ）に基づいて、無線デバイス１１０は、任意のコアネットワーク３２０（例えば５ＧＳのみ）に接続できない可能性がある。この場合、無線デバイス１１０は、別のネットワークノード１２０に接続することができる。
【００６０】
特定の実施形態において、無線デバイス１１０は、５ＧＳのコアネットワークタイプに接続する能力がある。無線デバイス１１０は、ＥＰＳに関してではなく特に５ＧＳに関して、受信されたシステム情報の１つまたは複数のパラメータを解釈することができ、また５ＧＳ固有のシステム情報ブロックを獲得することもできる。特に５ＧＳに関して、受信されたシステム情報の１つまたは複数のパラメータを解釈することは、システム情報の１つまたは複数の情報要素が５ＧＳに従って解釈されることになるという指示を取得すること（例えば専用シグナリングまたはブロードキャストシグナリングをネットワークノード１２０から受信すること）を含むことができる。１つまたは複数の情報要素が５ＧＳに従って解釈されることになるという指示を取得することは、５ＧＳのコアネットワーク３２０に無線デバイス１１０が接続されることを決定することを含むことができる。
【００６１】
いくつかの実施形態によれば、ネットワークノード１２０は、１つまたは複数のコアネットワーク３２０にネットワークノード１２０が接続されることを決定することによって、コアネットワーク３２０と関連付けられたシステム情報（例えば、ＳＩＢ１、ＳＩＢ２、等）を提供する。ネットワークノード１２０は、各コアネットワーク３２０に関するネットワークタイプ（例えば、ＥＰＳ、５ＧＳ、等）についての指示を含むシステム情報を送信する。ネットワークタイプについての指示は、ネットワークノード１２０に接続された１つまたは複数のＰＬＭＮの識別子のリスト、および各ＰＬＭＮによってサポートされる１つまたは複数のネットワークタイプについての指示を含むことができる。
【００６２】
特定の実施形態において、コアネットワーク３２０は５ＧＳのコアネットワークである。コアネットワーク３２０に関するシステム情報は、ＥＰＳに関する意図とは異なる５ＧＳに関する意図を有するパラメータを含む。システム情報は、５ＧＳ固有のシステム情報ブロックを含むことができる。
【００６３】
特定の実施形態において、ネットワークノード１２０は、システム情報の１つまたは複数の情報要素が５ＧＳに従って解釈されることになるという指示（例えば専用シグナリングまたはブロードキャストシグナリング）を送信する。ＥＰＳのコアネットワークおよび５ＧＳのコアネットワークについてのシステム情報は、下記でさらに詳細に説明される。
【００６４】
無線ネットワーク１００において、各無線ネットワークノード１２０は、ｌｏｎｇ  ｔｅｒｍ  ｅｖｏｌｕｔｉｏｎ（ＬＴＥ）、ＬＴＥアドバンスト、ＮＲ、ＵＭＴＳ、ＨＳＰＡ、ＧＳＭ、ｃｄｍａ２０００、ＷｉＭａｘ、ＷｉＦｉ、および／または他の適切な無線アクセス技術などの任意の適切な無線アクセス技術を使用することができる。無線ネットワーク１００は、１つまたは複数の無線アクセス技術の任意の適切な組合せを含むことができる。例として、一定の無線アクセス技術の背景の中で様々な実施形態が説明されることが可能である。しかし、本開示の範囲はこれらの例に限定されず、他の実施形態は様々な無線アクセス技術を使用することができる。
【００６５】
上述のように、無線ネットワークの実施形態は、１つまたは複数の無線デバイス、および無線デバイスと通信する能力がある１つまたは複数の様々なタイプの無線ネットワークノードを含むことができる。ネットワークは、無線デバイス間、または無線デバイスと別の通信デバイス（固定電話など）との間の通信をサポートするのに適した任意のさらなる要素を含むこともできる。無線デバイスは、ハードウェアおよび／またはソフトウェアの任意の適切な組合せを含むことができる。例えば、特定の実施形態において、無線デバイス１１０などの無線デバイスは、図５Ａについて下記で説明される構成要素を含むことができる。同様に、ネットワークノードは、ハードウェアおよび／またはソフトウェアの任意の適切な組合せを含むことができる。例えば、特定の実施形態において、ネットワークノード１２０などのネットワークノードは、図６Ａについて下記で説明される構成要素を含むことができる。コアネットワークノードは、ハードウェアおよび／またはソフトウェアの任意の適切な組合せを含むことができる。例えば、特定の実施形態において、コアネットワークノード３２０などのコアネットワークノードは、図７について下記で説明される構成要素を含むことができる。
【００６６】
特定の実施形態は、ＰＬＭＮ毎の５ＧＣへのサポートを示す。１つの例において、ＳＩＢ１のＰＬＭＮリストは、追加の情報要素（ＩＥ：ｉｎｆｏｒｍａｔｉｏｎ  ｅｌｅｍｅｎｔ）が５ＧＣへのサポートを示すことで拡張される。この例の長所は、各ＰＬＭＮに対してどのコアネットワークがサポートされるかを決定するために、ＵＥしかＳＩＢ１を読む必要がないというものである。別の例において、ＰＬＭＮに従ってＵＥによって解釈される個別のリストＩＥがＳＩＢ２の中に追加されることが可能である（すなわちＳＩＢ２内の情報をＳＩＢ１内のＰＬＭＮリストと組み合わせる）。
【００６７】
ＬＴＥのｅＮＢは、本明細書によって組み込まれる、３ＧＰＰ  ＴＳ３６．３３１、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ１４）；Ｐｒｏｔｏｃｏｌ  ｓｐｅｃｉｆｉｃａｔｉｏｎ」、２０１６年９月、の中で説明される「ＰＬＭＮ−ＩＤＥＮＴＩＴＹ−ＬＩＳＴ」における、どのＰＬＭＮが利用可能であるかについての情報をＳＩＢ１の中でブロードキャストする。「ＰＬＭＮ−ＩＤＥＮＴＩＴＹ−ＬＩＳＴ」は、ｅＮＢが接続されるＰＬＭＮのＰＬＭＮ  ＩＤを含んでいる。「ＰＬＭＮ−ＩＤＥＮＴＩＴＹ−ＬＩＳＴ」は、最大で６つのＰＬＭＮ  ＩＤに限定される。所与のＰＬＭＮに対してどのコアネットワークが利用可能であるかをＵＥに知らせるために、いくつかの実施形態は、ＰＬＭＮ  ＩＤ毎に追加の情報要素（ＩＥ）で「ＰＬＭＮ−ＩＤＥＮＴＩＴＹ−ＬＩＳＴ」を拡張し、対応するＰＬＭＮに対して、ＥＰＣのみ、またはＥＰＣと５ＧＣの両方にＬＴＥのｅＮＢが接続されるかどうかを示す。
【００６８】
ＬＴＥにおけるＳＩＢ２は、各ＰＬＭＮに対する専用の禁止情報を有するリスト、すなわち、ＴＳ３６．３３１の中で説明されるようなＡＣ−ＢａｒｒｉｎｇＰｅｒＰＬＭＮを含む。したがって、いくつかの実施形態は、利用可能なコアネットワーク（すなわち、ＥＰＣのみ、またはＥＰＣと５ＧＣの両方）を示すＡＣ−ＢａｒｒｉｎｇＰｅｒＰＬＭＮリストを、ＰＬＭＮ毎に新しいＩＥ（例えば禁止リスト内の追加のエントリ）で拡張することによって、各ＰＬＭＮに対する利用可能なコアネットワークをＵＥに知らせる。これらの実施形態の長所は、１つのＰＬＭＮ内のＥＰＣと５ＧＣの間の負荷分散を行うために、禁止情報が使用されることが可能であるというものである。例えば、５ＧＣが一時的に過負荷になると、全ての新しく入って来るＵＥがＥＰＣにアタッチすることを強いられるように、５ＧＣを一時的に禁止することが可能である。
【００６９】
いくつかの実施形態は、ＥＰＳおよび５ＧＳに、どのシステム情報が対応するかを示す。例えば、ＬＴＥのｅＮＢがＥＰＣと５Ｇ−ＣＮ（５ＧＣ）の両方に接続され、新しいＵＥと旧式のＵＥの両方をサーブするとき、特定の実施形態は、ＥＰＳまたは５ＧＳにＵＥが接続されるときに、どのシステム情報が適用可能であるかを示す。
【００７０】
特定の実施形態は、システム情報を解釈するために以下の原理を適用することができる。ＥＰＣに接続されるＵＥは、全ての現在のシステム情報があてはまると仮定することができる。５Ｇ−ＣＮに接続されるＵＥは、代替パラメータまたは解釈が適用されるべきであることをＵＥに知らせる指示が（システム情報内に、または専用シグナリングを介して）含まれない限り、現在のシステム情報の全てがあてはまると仮定することができる。指示は、システム情報要素毎、またはシステム情報要素のグループ（システム情報ブロック全体）毎であることが可能である。代替パラメータは、新しいＵＥによって読まれるだけの代替システム情報ブロック（例えばＳＩＢ３ａｌｔ）の中で送られることが可能である。
【００７１】
さらに、５ＧのＵＥは、仕様の中の指定のルールに従うことが可能であり、またＵＥは、既存のシステム情報のどのセットに従うべきか、およびどのセットが無視されるべきかを示す設定を含むことができる。どのシステム情報ブロックが適用されるべきか、または無視されるべきかについては、専用シグナリングを使用してネットワークから信号で伝えられること、またはブロードキャストされることが可能である。
【００７２】
特定の実施形態は、５ＧＳのみのセルを促進する。５ＧＣのみのＬＴＥネットワークを導入するために、特定の実施形態は、旧式のＵＥがセル／ＰＬＭＮを無視するように、ＣｅｌｌＲｅｓｅｒｖｅｄＦｏｒＯｐｅｒａｔｏｒＵｓｅをＲｅｓｅｒｖｅｄにセットすることができる。ＣｅｌｌＲｅｓｅｒｖｅｄＦｏｒＯｐｅｒａｔｏｒＵｓｅへの拡張フィールドは旧式の値を取り消し、ＥＰＣ−ＮＡＳの能力しかないＵＥに異なるセルへの再選択を行うことを強いる。
【００７３】
いくつかの実施形態は、５ＧＣ対応のＵＥよってのみ理解されることが可能な新しいＳＩＢ１インスタンスを作り出す。新しいＳＩＢ１インスタンスは、ＳＩＢ１に対する重要な拡張（すなわちＳＩＢ１−ｒ１５）によって、または新しいＢＣＣＨ−ＤＬ−ＳＣＨ論理チャネル（すなわちＢＣＣＨ−ＤＬ−ＳＣＨ−５ＧＣＮ）を使用することによって行われることが可能である。
【００７４】
いくつかの実施形態は、旧式のＵＥにセルを無視させるパラメータをＭａｓｔｅｒＩｎｆｏｒｍａｔｉｏｎＢｌｏｃｋの中で示すことができる（例えばｄｌ−Ｂａｎｄｗｉｄｔｈに対して無効の値をセットする）。ＭａｓｔｅｒＩｎｆｏｒｍａｔｉｏｎＢｌｏｃｋは、下記で示される。
0006915069.tif 000015
【００７５】
既存パラメータを使用してオペレータ使用のためのセルを禁止することは、旧式のＵＥがセルにキャンプすることまたは接続することを防ぐ。５ＧＳをサポートする５ＧのＵＥは、このパラメータを無視する。いくつかの実施形態は、５ＧＳをサポートする５ＧのＵＥに対してもセルが禁止されるかどうかを示すパラメータを含む。
【００７６】
特定の実施形態は、無線デバイスおよびネットワークノードにおける方法を含む。図３および図４において例がそれぞれ示される。
【００７７】
図３は、いくつかの実施形態によるユーザ機器における方法の例の流れ図である。方法３００は、コアネットワークと関連付けられたシステム情報を獲得するためのステップを含む。特定の実施形態において、図３の１つまたは複数のステップは、図２について説明された無線ネットワーク１００の無線デバイス１１０によって行われることが可能である。
【００７８】
方法はステップ３１２において始まり、ここで、ユーザ機器は、ネットワークノードからシステム情報を受信する。ネットワークノードは、１つまたは複数のコアネットワークに接続される。システム情報は、１つまたは複数のコアネットワークに関するネットワークタイプについての指示を含む。
【００７９】
例えば、無線デバイス１１０は、ネットワークノード１２０ａからシステム情報を受信することができる。ネットワークノード１２０ａは、コアネットワーク３２０ａおよびコアネットワーク３２０ｂに接続されることが可能である。コアネットワーク３２０ａおよびコアネットワーク３２０ｂは、ＥＰＳのコアネットワークタイプ、５ＧＳのコアネットワークタイプ、または他の任意の適切なコアネットワークタイプであることが可能である。ネットワークノード１２０ａは、（例えば、コアネットワーク３２０ａはＥＰＳのコアネットワークタイプであることが可能であるということ、コアネットワーク３２０ｂは５ＧＳのコアネットワークタイプであることが可能であるということ、コアネットワーク３２０ａとコアネットワーク３２０ｂの両方が５ＧＳのコアネットワークタイプであることが可能であるということ、コアネットワーク３２０ａとコアネットワーク３２０ｂの両方がＥＰＳのコアネットワークタイプであることが可能であるということ、等といった）コアネットワーク３２０ａおよびコアネットワーク３２０ｂのネットワークタイプについての指示を含む、ＳＩＢ１、ＳＩＢ２、または他の任意の適切なシステム情報などのシステム情報をブロードキャストすることができる。
【００８０】
特定の実施形態において、ネットワークタイプについての指示は、ネットワークノード１２０ａに接続されるＰＬＭＮのリスト、および各ＰＬＭＮによってサポートされるネットワークタイプについての指示を含む。１つの例において、ＳＩＢ１のＰＬＭＮリストは、５ＧＳへのサポートを示す追加の情報要素（ＩＥ）で拡張される。この例の長所は、どのコアネットワーク３２０が各ＰＬＭＮに対してサポートされるかを決定するために、無線デバイス１１０しかＳＩＢ１を読む必要がないというものである。別の例において、個別のリストＩＥがＳＩＢ２内に追加されることが可能である。無線デバイス１１０は、ＰＬＭＮに従ってリストを解釈する（すなわちＳＩＢ２内の情報をＳＩＢ１内のＰＬＭＮリストと組み合わせる）。
【００８１】
別の例において、ネットワークタイプについての指示は、ＡＣ−ＢａｒｒｉｎｇＰｅｒＰＬＭＮリストなどの各ＰＬＭＮに対する専用の禁止情報を有するリストを含む。ネットワークノード１２０ａは、利用可能なコアネットワーク３２０（すなわちＥＰＣのみ、またはＥＰＣと５ＧＣの両方）を示すＡＣ−ＢａｒｒｉｎｇＰｅｒＰＬＭＮリストを、ＰＬＭＮ毎に新しいＩＥ（例えば禁止リスト内の追加のエントリ）で拡張することによって、各ＰＬＭＮに対する利用可能なコアネットワーク３２０を無線デバイス１１０に知らせる。これらの実施形態の長所は、１つのＰＬＭＮ内のＥＰＣと５ＧＣの間の負荷分散を行うために禁止情報が使用されることが可能であるというものである。例えば、５ＧＣが一時的に過負荷になると、全ての新しく入って来る無線デバイス１１０がＥＰＣにアタッチすることを強いられるように、５ＧＣを一時的に禁止することが可能である。
【００８２】
ステップ３１４において、ユーザ機器は、複数のネットワークタイプに接続するための無線デバイスの能力を決定する。例えば、無線デバイス１１０は、ＥＰＳのコアネットワーク３２０、５ＧＳのコアネットワーク３２０、ＥＰＳのコアネットワーク３２０と５ＧＳのコアネットワーク３２０の両方、等に、無線デバイス１１０が接続する能力があると決定することができる。無線デバイス１１０は、無線デバイス１１０の能力で事前に設定されることが可能である。
【００８３】
ステップ３１６において、ユーザ機器は、ネットワークタイプおよび無線デバイスの能力に基づいて、コアネットワークに接続するべきかどうかを決定する。例えば、無線デバイス１１０は、５ＧＳのコアネットワークに無線デバイス１１０が接続する能力があると決定することができ、システム情報内の指示に基づいて無線デバイス１１０は、コアネットワーク３２０ｂが５ＧＳのコアネットワークであることを知る。無線デバイス１１０は、コアネットワーク３２０ｂに接続することを決めることができる。
【００８４】
別の例として、無線デバイス１１０は、無線デバイス１１０がＥＰＳのコアネットワークに接続する能力しかないと決定することができ、システム情報内の指示に基づいて無線デバイス１１０は、コアネットワーク３２０ａがＥＰＳのコアネットワークであることを知る。無線デバイス１１０は、コアネットワーク３２０ａに接続することを決めることができる。
【００８５】
別の例として、無線デバイス１１０は、無線デバイス１１０がＥＰＳのコアネットワークに接続する能力しかないと決定することができ、システム情報内の指示に基づいて無線デバイス１１０は、コアネットワーク３２０ａおよびコアネットワーク３２０ｂが両方５ＧＳのコアネットワークであることを知る。無線デバイス１１０は、ネットワークノード１２０ｂへの再選択を行い、ステップ３１２から３１６を繰り返して、ネットワークノード１２０ｂにアタッチされたコアネットワークに無線デバイス１１０が接続できるかどうかを決定することができる。
【００８６】
いくつかの実施形態において、システム情報の１つまたは複数のパラメータは、ＥＰＳに関してではなく特に５ＧＳに関して解釈されることが可能である。いくつかの実施形態は、ＥＰＳおよび５ＧＳに対してどのシステム情報が対応するかを示す。例えば、ネットワークノード１２０ａがＥＰＳと５ＧＳの両方に接続されると、特定の実施形態は、無線デバイス１１０がＥＰＳまたは５ＧＳに接続されるときにどのシステム情報が適用可能であるかを示す。
【００８７】
特定の実施形態は、システム情報を解釈するために以下の原理を適用することができる。ＥＰＳに接続される無線デバイス１１０は、全ての現在のシステム情報があてはまると仮定することができる。５ＧＳに接続される無線デバイス１１０は、（システム情報内に、または専用シグナリングを介して）代替パラメータまたは解釈が適用されるべきであることを無線デバイス１１０に知らせる指示が含まれない限り、現在のシステム情報の全てがあてはまると仮定することができる。指示は、システム情報要素毎、またはシステム情報要素のグループ（システム情報ブロック全体）毎であることが可能である。代替パラメータは、５Ｇ無線デバイス１１０によって読まれるだけの代替システム情報ブロック（例えばＳＩＢ３ａｌｔ）の中で送られることが可能である。
【００８８】
さらに、５Ｇ無線デバイス１１０は、仕様の中の指定のルールに従うことが可能であり、また５Ｇ無線デバイス１１０は、既存のシステム情報のどのセットに従うべきか、およびどのセットが無視されるべきかを示す設定を含むことができる。どのシステム情報ブロックが適用されるべきか、または無視されるべきかについては、専用シグナリング使用してネットワークから信号で伝えられること、またはブロードキャストされることが可能である。
【００８９】
図３において示された方法３００に対して、修正、追加、または省略が行われることが可能である。さらに、方法３００における１つまたは複数のステップは並行に、または任意の適切な順序で行われることが可能である。
【００９０】
図４は、いくつかの実施形態によるネットワークノードにおける方法の例の流れ図である。方法４００は、コアネットワークと関連付けられたシステム情報を提供するためのステップを含む。特定の実施形態において、図４の１つまたは複数のステップは、図２について説明された無線ネットワーク１００のネットワークノード１２０によって行われることが可能である。
【００９１】
方法はステップ４１２において始まり、ここで、ネットワークノードは、ネットワークノードが１つまたは複数のコアネットワークに接続されることを決定する。例えば、ネットワークノード１２０ａは、コアネットワーク３２０ａおよびコアネットワーク３２０ｂにネットワークノード１２０ａが接続されることを決定する。コアネットワーク３２０ａおよびコアネットワーク３２０ｂは、図３について上述されたコアネットワークタイプのいずれかを含むことができる。
【００９２】
ステップ４１４において、ネットワークノードは、各コアネットワークに関するネットワークタイプについての指示を含むシステム情報を送信する。例えば、ネットワークノード１２０ａは、図３のステップ３１２について上述されたようなシステム情報を送信することができる。
【００９３】
ステップ４１６において、ネットワークノードは、システム情報の１つまたは複数の情報要素が５ＧＳに従って解釈されることになるという指示を送信することができる。例えば、ネットワークノード１２０ａは、図３のステップ３１６について説明されたような指示を送信することができる。
【００９４】
図４において示された方法４００に対して、修正、追加、または省略が行われることが可能である。さらに、方法４００における１つまたは複数のステップは並行に、または任意の適切な順序で行われることが可能である。
【００９５】
図５Ａは、無線デバイスの実施形態の例を示すブロック図である。無線デバイスは、図２において示された無線デバイス１１０の例である。特定の実施形態において、無線デバイスは、システム情報（例えば、システム情報ブロック１（ＳＩＢ１）、システム情報ブロック２（ＳＩＢ２）、等）をネットワークノードから受信する能力がある。ネットワークノードは、１つまたは複数のコアネットワークに接続され、システム情報は、各コアネットワークに関するネットワークタイプ（例えば、ＥＰＳ、５ＧＳ、等）についての指示を含む。無線デバイスは、複数のネットワークタイプに接続するための無線デバイスの能力を決定すること、ならびにネットワークタイプおよび無線デバイスの能力に基づいて、コアネットワークに接続するべきかどうかを決定することを行う能力がある。
【００９６】
無線デバイスの特定の例は、携帯電話、スマートフォン、ＰＤＡ（パーソナルデジタルアシスタント）、携帯型コンピュータ（例えば、ラップトップ、タブレット）、センサ、モデム、マシンタイプ（ＭＴＣ）デバイス／マシンツーマシン（Ｍ２Ｍ）デバイス、ラップトップ内蔵機器（ＬＥＥ）、ラップトップ搭載型機器（ＬＭＥ）、ＵＳＢドングル、デバイス間対応デバイス、車両間デバイス、または無線通信を行うことができる他の任意のデバイスを含む。無線デバイスは、送受信器１１１０、処理回路機器１１２０、メモリ１１３０、および電源１１４０を含む。いくつかの実施形態において、送受信器１１１０は、（例えばアンテナを介して）無線ネットワークノード１２０との間で無線信号を送受信することを容易にし、処理回路機器１１２０は、無線デバイスによって行われるような本明細書で説明される機能のいくつかまたは全てを行う命令を実行し、メモリ１１３０は、処理回路機器１１２０によって実行される命令を格納する。電源１１４０は、送受信器１１１０、処理回路機器１１２０、および／またはメモリ１１３０などの、無線デバイス１１０の構成要素の１つまたは複数に電力を供給する。
【００９７】
処理回路機器１１２０は、無線デバイスの説明される機能のいくつかまたは全てを行うために命令を実行し、データを操作するための、１つまたは複数の集積回路またはモジュールの中に実装されるハードウェアとソフトウェアの任意の適切な組合せを含む。いくつかの実施形態において、処理回路機器１１２０は、例えば、１つもしくは複数のコンピュータ、もう１つのプログラム可能ロジックデバイス、１つもしくは複数の中央処理装置（ＣＰＵ）、１つもしくは複数のマイクロプロセッサ、１つもしくは複数のアプリケーション、および／または他のロジック、ならびに／あるいは先述の任意の適切な組合せを含むことができる。処理回路機器１１２０は、無線デバイス１１０の説明される機能のいくつかまたは全てを行うように設定されたアナログ回路機器および／またはデジタル回路機器を含むことができる。例えば、処理回路機器１１２０は、抵抗器、キャパシタ、誘導器、トランジスタ、ダイオード、および／または他の任意の適切な回路構成要素を含むことができる。
【００９８】
メモリ１１３０は、一般に、コンピュータ実行可能コードおよびデータを格納するように動作可能である。メモリ１１３０の例は、コンピュータメモリ（例えばランダムアクセスメモリ（ＲＡＭ）もしくはリードオンリメモリ（ＲＯＭ））、マスストレージ媒体（例えばハードディスク）、取外し可能なストレージ媒体（例えばコンパクトディスク（ＣＤ）もしくはデジタルビデオディスク（ＤＶＤ））、ならびに／または、または、情報を格納する他の任意の揮発性もしくは不揮発性の非一時的コンピュータ可読メモリデバイスおよび／もしくはコンピュータ実行可能メモリデバイスを含む。
【００９９】
電源１１４０は、一般に、無線デバイス１１０の構成要素に電力を供給するように動作可能である。電源１１４０は、リチウムイオン、リチウム空気、リチウムポリマー、ニッケルカドミウム、ニッケル水素、または無線デバイスに電力を供給するための他の任意の適切なタイプのバッテリなどの任意の適切なタイプのバッテリを含むことができる。
【０１００】
無線デバイスの他の実施形態は、上述の機能のいずれか、および／または（上述の解決策をサポートするのに必要な任意の機能を含む）任意の追加機能を含む無線デバイスの機能の一定の態様を行う責任がある（図５Ａに示されたもの以上の）追加構成要素を含むことができる。
【０１０１】
図５Ｂは、無線デバイス１１０の構成要素の例を示すブロック図である。構成要素は、受信モジュール１１５０および決定モジュール１１５２を含むことができる。
【０１０２】
受信モジュール１１５０は、無線デバイス１１０の受信機能を行うことができる。例えば、受信モジュール１１５０は、上記の実施形態または例（例えば図３のステップ３１２および／またはステップ３１６）のいずれかにおいて説明されたような、システム情報および／またはシステム情報を解釈する方法に関するシグナリングを受信することができる。一定の実施形態において、受信モジュール１１５０は、処理回路機器１１２０を含むことも、処理回路機器１１２０に含まれることも可能である。特定の実施形態において、受信モジュール１１５０は、決定モジュール１１５２と通信することができる。
【０１０３】
決定モジュール１１５２は、無線デバイス１１０の決定機能を行うことができる。例えば、決定モジュール１１５２は、無線デバイスの能力を決定すること、および／または上述の例（例えば図３のステップ３１４およびステップ３１６）のいずれかに従って特定のコアネットワークに接続するべきかどうか決定することができる。一定の実施形態において、決定モジュール１１５２は、処理回路機器１１２０を含むことも、処理回路機器１１２０に含まれることも可能である。特定の実施形態において、決定モジュール１１５２は、受信モジュール１１５０と通信することができる。
【０１０４】
図６Ａは、ネットワークノードの実施形態の例を示すブロック図である。ネットワークノードは、図２において示されたネットワークノード１２０の例である。特定の実施形態において、ネットワークノードは、ネットワークノードが１つまたは複数のコアネットワークに接続されることを決定すること、および各コアネットワークに関するネットワークタイプ（例えば、ＥＰＳ、５ＧＳ、等）についての指示を含むシステム情報（例えば、ＳＩＢ１、ＳＩＢ２、等）を送信すること、を行う能力がある。
【０１０５】
ネットワークノード１２０は、ｅノードＢ、ノードＢ、ｇＮＢ、基地局、無線アクセスポイント（例えばＷｉ−Ｆｉアクセスポイント）、低電力ノード、ベーストランシーバ基地局（ＢＴＳ）、伝送ポイントもしくはノード、リモートＲＦユニット（ＲＲＵ）、リモート無線ヘッド（ＲＲＨ）、または他の無線アクセスノードであることが可能である。ネットワークノードは、少なくとも１つの送受信器１２１０、少なくとも１つの処理回路機器１２２０、少なくとも１つのメモリ１２３０、および少なくとも１つのネットワークインターフェース１２４０を含む。送受信器１２１０は、（例えばアンテナを介して）無線デバイス１１０などの無線デバイスとの間で無線信号を送受信することを容易にし、処理回路機器１２２０は、ネットワークノード１２０によって行われるような上述の機能のいくつかまたは全てを行うための命令を実行し、メモリ１２３０は、処理回路機器１２２０によって実行される命令を格納し、ネットワークインターフェース１２４０は、ゲートウェイ、スイッチ、ルータ、インターネット、公衆交換電話網（ＰＳＴＮ）、コントローラ、および／または他のネットワークノード１２０などのバックエンドのネットワーク構成要素に信号を通信する。処理回路機器１２２０およびメモリ１２３０は、上記の図５Ａの処理回路機器１１２０およびメモリ１１３０について説明されたものと同じタイプのものであることが可能である。
【０１０６】
いくつかの実施形態において、ネットワークインターフェース１２４０は、処理回路機器１２２０に通信連結され、ネットワークノード１２０に対する入力を受信すること、ネットワークノード１２０からの出力を送ること、入力もしくは出力または両方に関する適切な処理を行うこと、他のデバイスに通信すること、あるいは前述の任意の組合せを行うように動作可能な任意の適切なデバイスを指す。ネットワークインターフェース１２４０は、妥当なハードウェア（例えば、ポート、モデム、ネットワークインターフェースカード、等）、ならびにネットワークを通じて通信するためのプロトコル変換およびデータ処理能力を含むソフトウェアを含む。
【０１０７】
ネットワークノード１２０の他の実施形態は、上述の機能のいずれか、および／または（上述の解決策をサポートするのに必要な任意の機能を含む）任意の追加機能を含むネットワークノードの機能の一定の態様を行う責任がある（図６Ａに示されるもの以上の）追加構成要素を含む。様々な異なるタイプのネットワークノードが同じ物理ハードウェアを有するが、様々な無線アクセス技術をサポートするように（例えばプログラミングによって）設定された構成要素を含むことができ、また様々な物理構成要素を部分的または全面的に表すことができる。
【０１０８】
図６Ｂは、ネットワークノード１２０の構成要素の例を示すブロック図である。構成要素は、決定モジュール１２５０および送信モジュール１２５２を含むことができる。
【０１０９】
決定モジュール１２５０は、ネットワークノード１２０の決定機能を行うことができる。例えば、決定モジュール１２５０は、上記の実施形態または例のいずれか（例えば図４のステップ４１２）において説明されたように、決定モジュール１２５０が、１つまたは複数のコアネットワークに接続されることを決定することができる。一定の実施形態において、決定モジュール１２５０は、処理回路機器１２２０を含むことも、処理回路機器１２２０に含まれることも可能である。特定の実施形態において、決定モジュール１２５０は、送信モジュール１２５２と通信することができる。
【０１１０】
送信モジュール１２５２は、ネットワークノード１２０の送信機能を行うことができる。例えば、送信モジュール１２５２は、上述の例のいずれか（例えば図４のステップ４１４およびステップ４１６）に従ってシステム情報および／またはシステム情報を解釈する方法に関する指示を送信することができる。一定の実施形態において、送信モジュール１２５２は、処理回路機器１２２０を含むことも、処理回路機器１２２０に含まれることも可能である。特定の実施形態において、送信モジュール１２５２は、決定モジュール１２５０と通信することができる。
【０１１１】
図７は、一定の実施形態によるコアネットワークノード３２０の例の概略ブロック図である。特定の実施形態において、コアネットワークノードは、ＥＰＳのコアネットワークノード、５ＧＳのコアネットワークノード、または他の任意の適切なタイプのコアネットワークノードを含むことができる。
【０１１２】
コアネットワークノードの例は、エボルブドサービングモバイルロケーションセンタ（Ｅ−ＳＭＬＣ）、モバイル交換局（ＭＳＣ）、サービングＧＰＲＳサポートノード（ＳＧＳＮ）、移動管理エンティティ（ＭＭＥ）、無線ネットワークコントローラ（ＲＮＣ）、基地局コントローラ（ＢＳＣ）、アクセスおよび移動管理機能（ＡＭＦ）などを含むことができる。コアネットワークノードは、処理回路機器６２０、メモリ６３０、およびネットワークインターフェース６４０を含む。いくつかの実施形態において、処理回路機器６２０は、ネットワークノードによって行われるような上述の機能のいくつかまたは全てを行うための命令を実行し、メモリ６３０は、処理回路機器６２０によって実行される命令を格納し、ネットワークインターフェース６４０は、ゲートウェイ、スイッチ、ルータ、インターネット、公衆交換電話網（ＰＳＴＮ）、ネットワークノード１２０、無線ネットワークコントローラ、またはコアネットワークノード３２０、等などの任意の適切なノードに信号を通信する。
【０１１３】
処理回路機器６２０は、コアネットワークノードの説明される機能のいくつかまたは全てを行うために命令を実行するため、およびデータを操作するための１つまたは複数のモジュールの中に実装されるハードウェアとソフトウェアの任意の適切な組合せを含むことができる。いくつかの実施形態において、処理回路機器６２０は、例えば、１つもしくは複数のコンピュータ、１つもしくは複数の中央処理装置（ＣＰＵ）、１つもしくは複数のマイクロプロセッサ、１つもしくは複数のアプリケーション、および／または他のロジックを含むことができる。
【０１１４】
メモリ６３０は、一般に、ロジック、ルール、アルゴリズム、コード、テーブル、等の１つまたは複数を含むコンピュータプログラム、ソフトウェア、アプリケーションなどの命令、および／またはプロセッサによって実行される能力がある他の命令を格納するように動作可能である。メモリ６３０の例は、コンピュータメモリ（例えばランダムアクセスメモリ（ＲＡＭ）もしくはリードオンリメモリ（ＲＯＭ））、マスストレージ媒体（例えばハードディスク）、取外し可能なストレージ媒体（例えばコンパクトディスク（ＣＤ）もしくはデジタルビデオディスク（ＤＶＤ））、ならびに／または、または情報を格納する他の任意の揮発性もしくは不揮発性の非一時的コンピュータ可読メモリデバイスおよび／もしくはコンピュータ実行可能メモリデバイスを含む。
【０１１５】
いくつかの実施形態において、ネットワークインターフェース６４０は、処理回路機器６２０に通信連結され、ネットワークノードに対する入力を受信すること、ネットワークノードからの出力を送ること、入力もしくは出力または両方に関する適切な処理を行うこと、他のデバイスに通信すること、あるいは前述の任意の組合せを行うように動作可能な任意の適切なデバイスを指すことができる。ネットワークインターフェース６４０は、妥当なハードウェア（例えば、ポート、モデム、ネットワークインターフェースカード、等）、ならびにネットワークを通じて通信するためのプロトコル変換およびデータ処理能力を含むソフトウェアを含むことができる。
【０１１６】
ネットワークノードの他の実施形態は、上述の機能のいずれか、および／または（上述の解決策をサポートするのに必要な任意の機能を含む）任意の追加機能を含むコアネットワークノードの機能の一定の態様を行う責任がある可能性のある、図７に示されたもの以上の追加構成要素を含むことができる。
【０１１７】
本開示のいくつかの実施形態は、１つまたは複数の技術的長所をもたらすことができる。いくつかの実施形態は、これらの長所のいくつかまたは全てから恩恵を受ける可能性があり、またどれからも恩恵を受けない可能性もある。他の技術的長所は、当業者によって容易に確かめられることが可能である。例えば、いくつかの実施形態において、ＵＥは、ＥＰＳと５ＧＳを同時にサーブするセルからのシステム情報を獲得するときにシステム情報の内容を明確に解釈することができる。これは、ネットワーク能力をＵＥが間違って理解しないようにすることができる。ＰＬＭＮ毎に５ＧＣへのサポートを示すという特定の実施形態は、様々なオペレータが同じＲＡＮノードを共有することを容易にする。５ＧＣへのサポートにアップグレードすることは、その時々において行われることが可能である。全てのオペレータが同時にアップグレードすることを要求することは、より困難であり、したがって望ましくない。
【０１１８】
本開示は、一定の実施形態の観点から説明されたが、代替形態、および実施形態の並べ替えが、当業者には明らかであろう。いくつかの実施形態は、一定の無線アクセス技術を参照しながら説明されたが、ｌｏｎｇ  ｔｅｒｍ  ｅｖｏｌｕｔｉｏｎ（ＬＴＥ）、ＬＴＥアドバンスト、ＮＲ、ＵＭＴ、ＨＳＰＡ、ＧＳＭ、ｃｄｍａ２０００、ＷｉＭａｘ、ＷｉＦｉ、等などの任意の適切な無線アクセス技術（ＲＡＴ）または無線アクセス技術の組合せが使用されることが可能である。したがって、実施形態についての上記の記述は本開示を制限しない。本開示の範囲から逸脱することなく、他の変更、代用、および代替が可能である。
【０１１９】
省略形
３ＧＰＰ  第３世代パートナーシッププロジェクト
５ＧＣ  第５世代システム
５ＧＣ  第５世代コア
ＡＳ  アクセス層
ＣＡ  キャリアアグリゲーション
ＣＣ  コンポーネントキャリア
ＣＮ  コアネットワーク
ｅＭＴＣ  拡張マシン型通信
ｅＭＴＣ−Ｕ  無免許帯域のための拡張マシン型通信
ｅＮＢ  エボルブドノードＢ
ｅＮｏｄｅＢ  エボルブドノードＢ
ＥＰＣ  エボルブドパケットコア
ＥＰＳ  エボルブドパケットシステム
Ｅ−ＳＭＬＣ  エボルブドサービングモバイルロケーションセンタ
ＦｅＭＴＣ  再拡張ＭＴＣ（Ｆｕｒｔｈｅｒ  ｅｎｈａｎｃｅｄ  ＭＴＣ）
ＦＤＤ  周波数分割複信
ｇＮＢ  第５世代ノードＢ
ＧＮＳＳ  グローバルナビゲーション衛星システム
ＩＤ  識別子
ＩｏＴ  モノのインターネット
ＬＢＴ  交信前リッスン
ＬＰＰ  ＬＴＥ位置決めプロトコル
ＬＴＥ  Ｌｏｎｇ−Ｔｅｒｍ  Ｅｖｏｌｕｔｉｏｎ
ＭＦ  ＭｕＬＴＥｆｉｒｅ
ＭＭＥ  移動管理エンティティ
ＭＳＣ  モバイル交換局
ＭＴＣ  マシン型通信
ＮＡＳ  非アクセス層
ＮＢ−ＩｏＴ  狭帯域ＩｏＴ
ＮＢ−ＩｏＴ−Ｕ  無免許帯域のための狭帯域モノのインターネット
ＮＧＳ  次世代システム
ＮＲ  新しい無線
ＮＷ  ネットワーク
ＯＴＤＯＡ  観察された到達時間相違
ＰＢＣＨ  物理ブロードキャストチャネル
ＰＣＩＤ  物理セルアイデンティティ
ＰＣＣ  １次コンポーネントキャリア
ＰＣｅｌｌ  １次セル
ＰＤＵ  プロトコルデータユニット
ＰＧＷ  パケットデータネットワークゲートウェイ
ＰＲＢ  物理リソースブロック
ＰＳＤ  パワースペクトル密度
ＲＡＴ  無線アクセス技術
ＲＡＮ  無線アクセスネットワーク
ＲＲＣ  無線リソース制御
ＲＳＲＰ  参照信号受信電力
ＲＳＲＱ  参照信号受信品質
ＲＳＴＤ  参照信号時間相違
ＳＣＣ  ２次コンポーネントキャリア
ＳＣｅｌｌ  ２次セル
ＳＦＮ  システムフレーム番号
ＳＧＷ  サービングゲートウェイ
ＳＬＡ  サービスレベル契約
ＴＤＤ  時分割複信（ＴＤＤ）
ＴＤＯＡ  到達時間相違
ＴＯＡ  到達時間
ＵＥ  ユーザ機器
ＵＭＴＳ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＤＯＡ  アップリンク到達時間相違
【図１】
0006915069.tif 000016
【図２】
0006915069.tif 000017
【図３】
0006915069.tif 000018
【図４】
0006915069.tif 000019
【図５Ａ】
0006915069.tif 000020
【図５Ｂ】
0006915069.tif 000021
【図６Ａ】
0006915069.tif 000022
【図６Ｂ】
0006915069.tif 000023
【図７】
0006915069.tif 000024